(57)【要約】【課題】充電機能を備えたキャビネットにおいて、ＡＣコンセントを少なくしてキャビネット構造の複雑化を抑え、充電ケーブルを不要とする。【解決手段】電子機器を収容する複数の収容部を、ＡＣコンセント１４ａを有する収容部１とＡＣコンセントを省略した収容部２〜ｎとで構成し、収容部１に、交流直流変換部２１と特定の周波数で電力を送電する発振機能を有する送電回路部２２と、送電回路部に接続された送電コイル１とを設ける。収容部２〜ｎには、送電コイル１と同様の送電コイル２〜ｎと、この送電コイルに接続されて、送電コイル１と送電回路部２２とによって決められた周波数と同一の周波数で共振させる共振回路５１ｂ〜ｎとを設ける。各収容部に収容される電子機器には、受電コイル１〜ｎと、前記周波数で共振するように受電コイルに接続されて受電した電力を整流する受電回路部１〜ｎと、整流された電力を電子機器等に供給するコネクタと取り付けて用いる。【選択図】  図４
2018201273.tif 000002
【特許請求の範囲】
【請求項１】
電子機器等を収容する複数の収容部を備えると共に前記電子機器等の充電機能を備えたキャビネットであって、
前記複数の収容部の一部を電力を送電する機能を持たせた送電用収容部とし、残りの収容部を電力を送受電する機能を持たせたる送受電用収容部とし、
前記送電用収容部には、少なくとも１つの充電用のＡＣコンセントと、前記ＡＣコンセントからの交流電圧を直流電圧に変換する交流直流変換部と、特定の周波数で電力を送電するための発振機能を有する送電回路部と、前記送電回路部に接続された電力伝送用の主送電コイルと、を設け、
前記送受電用収容部には、前記ＡＣコンセントを省略し、前記主送電コイルと同様の副送電コイルと、この副送電コイルに接続されて、前記主送電コイルと前記送電回路部とによって決められた周波数と同一の周波数で共振させるための電力送電用共振回路と、を設け、
それぞれの収容部に収容される前記電子機器等には、受電用の受電コイルと、この受電コイルに接続されて、前記主送電コイルと前記送電回路部とによって決められた周波数と同一の周波数で共振させ、受電した電力を整流する受電回路部と、前記電子機器等の充電端子に接続されて整流した電力を電子機器等に供給するコネクタと、を少なくとも備えた受電ユニットを取り付けることを特徴とするキャビネット。
【請求項２】
前記受電ユニットには、前記受電回路部で整流された電力を前記電子機器等の使用電圧に合わせた電圧に設定する電圧安定化回路部をさらに設けることを特徴とする請求項１記載のキャビネット。
【請求項３】
それぞれの前記収容部には、前記主送電コイルと同様の共振コイルと、この共振コイルに接続されて前記主送電コイルと前記送電回路部とによって決められた周波数と同一の周波数で共振させるための共振回路とが、複数分散して配置されていることを特徴とする請求項１又は２に記載のキャビネット。
【請求項４】
前記送受電用収容部には、ここに収納される前記電子機器等の充電状態を制御するコントロール回路がさらに設けられていることを特徴とする請求項１乃至３のいずれかに記載のキャビネット。
【請求項５】
前記受電コイルは、シート状に形成されていることを特徴とする請求項１乃至４記載のキャビネット。
【請求項６】
それぞれの前記収容部に設けられる前記主送電コイル又は前記副送電コイルは、前記収容部に配設されるシートに内蔵されていることを特徴とする請求項１又は２記載のキャビネット。
【請求項７】
それぞれの収容部に設けられる前記主送電コイル又は前記副送電コイルと、分散配置された前記共振コイル及び前記共振回路は、前記収容部に配設されるシートに内蔵されていることを特徴とする請求項３記載のキャビネット。
【請求項８】
それぞれの収容部に設けられる前記主送電コイル又は前記副送電コイルは、前記収容部を画成する棚板または仕切板に内蔵されていることを特徴とする請求項１又は２記載のキャビネット。
【請求項９】
それぞれの収容部に設けられる前記主送電コイル又は前記副送電コイルと、分散配置された前記共振コイル及び前記共振回路は、、前記収容部を画成する棚板または仕切板に内蔵されていることを特徴とする請求項３記載のキャビネット。
【発明の詳細な説明】
【技術分野】
【０００１】
本発明は、企業や学校、塾等で大量に使用しているパソコンまたはタブレット等の電子機器等を、未使用時において保管および充電するために使用されるキャビネットに関する。
【背景技術】
【０００２】
企業や学校、塾等で使用しているパソコンまたはタブレット等のモバイル対応型の電子機器は、未使用時にはセキュリティ管理のために複数の電子機器をまとめて１つのキャビネットに収納して管理すると共に、キャビネット内で充電を行っている。電子機器を充電する際には各電子機器メーカの機器にあった専用の充電アダプタを各々接続して充電を行っており、キャビネットには、電子機器の保管する台数分の収容部とそれぞれの収容部に対応したＡＣコンセントが必要となっていた。
【０００３】
特許文献１および特許文献２は、モバイル対応の電子機器収納用のキャビネットとして、機器を収納する収容部毎にＡＣコンセントを具備したものであり、各収容部へのＡＣコンセントの配置や配線構造に関する技術が開示されている。すなわち、特許文献１および特許文献２のキャビネットは、いずれも各収容部へのＡＣコンセントが必要である他、各電子機器の充電において複数種類の専用充電アダプタが必要となるものであった。
【先行技術文献】
【特許文献】
【０００４】
【特許文献１】特許４４６０１８４号
【特許文献２】特開２００２―２１９０２７号
【発明の概要】
【発明が解決しようとする課題】
【０００５】
このため、上記の従来技術では、キャビネットの各収容部に電子機器充電用のＡＣコンセントが必要となるため、あらかじめ決められた電子機器の保管台数分の収容部が必要となり、ＡＣコンセントの数も多くなることから、キャビネット構造が複雑になる不都合があった。また、収容部毎にＡＣコンセントが必要となるキャビネットの構造上、収容部の追加は容易ではなく、機器の台数が増えた場合には新規のキャビネットが必要になる等、自由度のないキャビネット構造であった。
【０００６】
さらに、複数種類の電子機器を充電する可能性があるキャビネトにおいては、同一メーカの電子機器のみならず、電圧規格が異なる他メーカの電子機器への充電を行う必要があることから、類似のコネクタを使用した電子機器を充電する場合には、充電アダプタの誤装着により電子機器を破壊する虞があった。
【０００７】
また、電子機器専用の充電アダプタはＡＣコンセントから接続されているアダプタと電子機器を接続する専用のコネクタとをケーブル接続していることから、日々頻繁に脱着することでコネクタとケーブルとの接続部分に断線が生じ、電子機器への充電が出来なくなる虞があり、充電に対する信頼性の低下が懸念される。
【０００８】
本発明は、上述した事情に鑑みてなされたものであり、キャビネットのＡＣコンセントを少なくして、キャビネット構造の複雑化を抑え、また、キャビネットへの機器の保管台数が増えた場合でも自由に収容部の追加と機器への充電が可能であり、さらに、充電ケーブルを不要にして、充電に対する信頼性を向上させることが可能なキャビネットを提供することを主たる課題としている。
【課題を解決するための手段】
【０００９】
上記目的を達成するために本発明は、少なくとも１つのＡＣコンセントが備えられた収容部（送電用収容部）とＡＣコンセントが備えられていない収容部（送受電用収容部）を備える電子機器等を収容するキャビネットにおいて、ＡＣコンセントが備えられた送電用収容部には、ＡＣコンセントからの交流電圧を直流電圧に変換する交流直流変換部と、特定の周波数で電力を送電するための発振機能を有する送電回路部と、前記送電回路部に接続された電力伝送用の主送電コイルとを設け、特定の周波数で電力を送電する。ここで、電子機器等とは、パソコンやタブレット等の電子機器の他、充電機能を有する電気機器を含むものである。
【００１０】
これに対して、ＡＣコンセントが備えられていない送受電用収容部には、送電用収容部と同一の周波数で共振するように設定された副送電コイルと、この副送電コイルに接続された電力送電用の共振回路とを設け、送電用収容部と隣接して設けられた送受電用収容部に対しては、送電用収容部から送電された電力を、送受電用収容部に設けられた副送電コイルと電力送電用の共振回路との共振作用により受け取ることができる。
【００１１】
また、送電用収容部とは隣接せず、順次隣接された送受電用収容部ｎに対しては、これに隣接する一つ手前の送受電用収容部ｎ−１から送電された電力を、送受電用収容部ｎに設けられた副送電コイルと電力送電用の共振回路との共振作用により受け取ることができるので、送電用収容部から送電された電力を送受電用収容部ｎまで収容部間を順次伝送することができる。
【００１２】
そして、それぞれの収容部に収容される前記電子機器等には、受電用の受電コイルと、この受電コイルに接続されて、前記主送電コイルと前記送電回路部とによって決められた周波数と同一の周波数で共振させ、受電した電力を整流する受電回路部と、電子機器等の充電端子に接続されて整流した電力を電子機器等に供給するコネクタとを少なくとも備えた受電ユニットを取り付け、この受電ユニットを取り付けた電子機器等を任意の収容部に収容させることで、その収容部に伝送された電力を、受電コイルと受電回路部との共振作用により、非接触で受け取ることができ、コネクタを介して電子機器等に給電することが可能となる。
【００１３】
このため、キャビネット内のＡＣコンセントの数を低減できるほか、ＡＣコンセントに関する配線構造を簡素化することができ、また共振作用を用いた非接触の給電が行われることから、送電用収容部と同一の周波数で共振するように設定された副送電コイルと電力送電用の共振回路とを備える送受電用収容部の加除が容易に行え、収容部の数を自由に設定することが可能となる（電子機器等の保管・充電台数を容易に増やすことが可能となる）。
【００１４】
また、受電ユニットに、受電回路部で整流された電力を電子機器等の使用電圧に合わせた電圧に設定する電圧安定化回路部をさらに取り付けることで、受電回路部で整流された電力を、電圧安定化回路部によりそれぞれの電子機器等の電圧規格に対応した電圧に調整した上、コネクタを介して電子機器等に供給することができるので、収容部毎で電圧規格が異なる電子機器等を充電する場合にも、対応することが可能となる。
【００１５】
また、それぞれの収容部に、送電用収容部の主送電コイルと同様の共振コイルと、この共振コイルに接続されて送電用収容部の主送電コイルと送電回路部とによって決められた周波数と同一の周波数で共振させるための共振回路と、を複数分散して配置し、収容部に送電された電力を、共振コイルと共振回路との共振作用により収容部の広範囲に伝送させるようにしてもよい。
このような構成を採用することで、収容部が広い場合や電気機器等に取り付けられる受電コイルの位置がまちまちであっても、電子機器等を確実に充電することが可能となる。
【００１６】
さらに、送受電用収容部には、ここに収納される電子機器等の充電状態を制御するコントロール回路をさらに設け、電子機器が存在しない場合や電子機器の充電が完了した収容部に対して電力供給を停止するようにしても、電子機器への同時充電や時間をずらした充電制御を行うようにしてもよい。
【００１７】
また、受電ユニットと接続されている受電コイルをシート状の構造とすることで電子機器の裏面部に貼付けて使用する事ができ、受電ユニットのＤＣコネクタを電子機器に常時接続した状態で用いることで、従来のような充電用アダプタのコードの断線や、接続し忘れを防止することができ、電子機器等の収納部への収納も容易となる。また複数の電子機器を取り扱う場合に充電アダプタの誤装着による電子機器の破壊も抑制することが可能となる。
【００１８】
なお、上述した交流直流変換部や送電回路部を送電ユニットとして一体化し、また、電力送電用の共振回路やコントロール回路を送電共振ユニットとして一体化してもよい。このような構成とすれば、ユニット単位で各収納部に装着できるので、シンプルな構造にすることが可能となる。
【００１９】
また、前記送電コイルや分散配置された共振コイルと共振回路を、収容部に配設されるシートに内蔵させるようにしてもよく、このような構成においては、既存のキャビネットに後付けすることが可能となり、また、メンテナンスも容易となる。
【００２０】
以上の構成は、パソコンまたはタブレット等の電子機器を平置き出来るキャビネットに適用しても、パソコンまたはタブレット等の電子機器を縦置き出来るキャビネットにおいても同様に適用可能である。
平置き収納型のキャビネットにおいては、各収容部に電子機器を載置させて収容するので、収容部間には棚板が配置される構造が一般的であり、縦置き収納型のキャビネットにおいては、各収容部に電子機器を立てた状態で収納するので、収容部間には仕切り板が配置される構造が一般的である。
【００２１】
このため、上述した送電コイルや分散配置された共振コイルと共振回路は、前記収容部を画成する棚板または仕切板に内蔵させるようにしてもよい。このような構成を採用すれば、キャビネットの構成を一層シンプルにでき、使いやすいものとなる。
【発明の効果】
【００２２】
以上述べたように、本発明によれば、共振作用を利用した電力伝送システムを用いることで、非接触に電力伝送を行うことが出来ることから、キャビネット内のＡＣコンセント数を低減出来るほか、ＡＣコンセントの配線低減によりシンプルな構造のキャビネットを提供することが可能となる。また、各収容部間や電子機器への電力伝送が非接触で行われるため、収容部の加除や電子機器への充電操作が容易となり、使用用途に合わせた応用範囲の広いキャビネットが提供可能となる。
また、受電コイルや受電回路部を電子機器等に常時装着して使用することで、複数種類の電子機器等を保管および充電する際のＡＣアダプタの誤接続による機器破壊を防止することが出来ると共に、断線および接続し忘れによる非充電を抑制することが可能となり、充電における信頼性を向上させることが可能となる。
【図面の簡単な説明】
【００２３】
【図１】図１は、本発明の非接触給電を用いた平置き収納型のキャビネットの構成例を示す図である。
【図２】図２は、本発明の非接触給電を用いた縦置き収納型のキャビネットの構成例を示す図である。
【図３】図３（ａ）〜（ｃ）は、電子機器（タブレット）に受電シートと受電ユニットを取り付けた状態を示す図であり、（ａ）はその正面図、（ｂ）はその背面図、（ｃ）はその側面図である。図３（ｄ）〜（ｅ）は、電子機器（タブレット）に取り付けられる受電シートとこれと一体をなす受電ユニットとを示す図であり、（ｄ）はその正面図、（ｅ）はその側面図である。
【図４】図４は、本発明のキャビネットに用いる非接触給電システムの基本構成例（実施例１）を示す回路ブロック図である。
【図５】図５は、本発明の非接触給電システムを用いた場合の平置き収納型のキャビネットにおける電力の伝送状態を説明する模式図である。
【図６】図６は、本発明の非接触給電システムを用いた場合の縦置き収納型のキャビネットにおける電力の伝送状態を説明する模式図である。
【図７】図７は、本発明のキャビネットに用いる非接触給電システムの発展構成例（実施例２）を示す回路ブロック図である。
【発明を実施するための形態】
【００２４】
以下、本発明の実施形態を図面に基づき説明する。
【００２５】
図１および図２において、本発明に係るキャビネット（１０）に電子機器（８０ａ〜８０ｎ）を収納した状態が示され、図１は平置き収納型のキャビネット、図２は縦置き収納型のキャビネットの例を示す。
【００２６】
この実施例におけるキャビネット（１０）は、パソコンまたはタブレット等のモバイル対応の電子機器（８０ａ〜８０ｎ）を収納可能とするもので、キャビネット（１０）にはセキュリティ対策の為のキャビネット扉（１１）があり、保管時はキャビネット扉（１１）を閉じて使用する。なお、キャビネット扉（１１）は使用環境や製品の形態により無くても良い。
【００２７】
キャビネット（１０）には電子機器（８０ａ〜８０ｎ）を整理する複数の収容部（１２ａ〜１２ｎ）が設けられており、少なくとも一つの収容部１(１２ａ)に、ＡＣコンセント(１４ａ)と、電力送電用の送電ユニット１（２０）と、送電コイルや必要に応じて設けられる複数の共振コイル及び共振回路が内蔵された送電シート１（３０ａ）とが備えられている。
【００２８】
また、収容部１（１２ａ）に隣接配置されたＡＣコンセントを具備しない収容部２（１２ｂ）には、前記送電シート１（３０ａ）と同様の送電コイルや必要に応じて設けられる複数の共振コイル及び共振回路が内蔵された送電シート２（３０ｂ）と、電力用の共振回路や送電状態を制御するコントロール回路が一体となった送電共振ユニット１（５０ｂ）とが備えられており、更に順次隣接配置されているＡＣコンセントを具備しない収容部ｎ（１２ｎ）には、収容部２（１２ｂ）と同様の送電シートｎ（３０ｎ）と送電共振ユニットｎ−１（５０ｎ）が配置されている。
【００２９】
なお、キャビネット１０は、図１に示されるように、複数の棚板(１３ａ〜１３ｎ)を上下方向に複数段設けることで、収容部（１２ａ〜１２ｎ）を上下方向に配列させた水平置き収納型のものであっても、図２に示されるように、複数の垂直の仕切板(１３’ａ〜１３’ｎ)を並設することで、収容部（１２ａ〜１２ｎ）を水平方向に配列させた縦置き収納型のものであってもよい。
【００３０】
以上のキャビネットの構成に対して、充電したい電子機器（８０ａ〜８０ｎ）には、図３にも示されるように、図示しないシート状の受電コイルが内蔵されている受電シート（６０ａ〜６０ｎ）と、これと一体をなし、送電側からの特定周波数の電力を受けると、その特定周波数と同一の周波数で共振するように前記受電コイルに接続された受電回路部を有する受電ユニット（７０ａ〜７０ｎ）とが着脱可能に取り付けられている。
【００３１】
受電ユニット（７０ａ〜７０ｎ）には、電子機器（８０ａ〜８０ｎ）の充電端子に装着可能なＤＣコネクタ（７４ａ〜７４ｎ）が設けられ、このＤＣコネクタ（７４ａ〜７４ｎ）を電子機器（８０ａ〜８０ｎ）の充電端子に装着することで受電シート（６０ａ〜６０ｎ）が電子機器（８０ａ〜８０ｎ）に沿って取り付けられ、受電シート（６０ａ〜６０ｎ）内の受電コイルと受電ユニット（７０ａ〜７０ｎ）内の受電回路部とによって受電した電力をＤＣコネクタ（７４ａ〜７４ｎ）を介して電子機器（８０ａ〜８０ｎ）へ供給するようにしている。
【００３２】
次に、本発明に係るキャビネットを用いて電子機器を充電する回路構成について説明する。図４は、このうち上述したキャビネットで採用される非接触給電方式の基本構成例を示すもので、後述する図７は、上述したキャビネットで採用される非接触給電方式の発展構成例を示している。
【実施例１】
【００３３】
まず、図４に示す基本構成例について説明すると、ＡＣコンセント(１４ａ)が設けられた収容部１（１２ａ）には、ＡＣコンセントからの交流電圧をＤＣ電圧に変換するＡＣ−ＤＣ変換部（２１）と、特定の周波数で電力を送電するための発振機能を有する送電回路部１（２２）とを備えた送電ユニット１（２０）が設けられると共に、この送電ユニット１（２０）の送電回路部１（２２）に接続する送電コイル１（４０ａ：主送電コイルに相当）を内蔵した送電シート１（３０ａ）が設けられている。
【００３４】
これにより、ＡＣコンセント（１４ａ）からの交流電圧は送電ユニット１（２０）のＡＣ−ＤＣ変換部（２１）により直流電圧に変換され、送電回路部１（２２）と送電シート１（３０ａ）内の送電コイル１（４０ａ）とにより決められた特定の周波数で発振させることで電力が送電されるようになっている。
【００３５】
一方、充電したい電子機器（８０ａ）には、前述した如く、シート状に形成された受電コイル１（６０ａ）が内蔵されている受電シート１（６１ａ）が前記送電シート１（３０ａ）と非接触の状態で電子機器（８０ａ）の裏面部に配置もしくは貼り付けられ、また、前記送電回路部１（２２）と前記送電コイル１（４０ａ）とにより決められた特定周波数と同一の周波数で共振するように受電コイル１（６０ａ）に接続された受電回路部１（７１ａ）を有する受電ユニット１（７０ａ）が設けられている。この受電ユニット１（７０ａ）の受電回路部１（７１ａ）によって受け取った電力が整流される。
【００３６】
前記受電ユニット１（７０ａ）は、前記受電回路部１（７１ａ）のほかに、電子機器の使用電圧に出力電圧を切り換え設定する出力電圧切換設定器（７３ａ）と、受電回路部１（７１ａ）で整流された電圧を出力電圧切換設定器（７３ａ）で設定された電圧となるように安定化させるＤＣ安定化回路部（７２ａ）と、タブレットやパソコン等の電子機器（８０ａ）の充電端子に接続するＤＣコネクタ（７４ａ）とを備え、このＤＣコネクタ（７４ａ）を介して電子機器１（８０ａ）の充電端子に着脱可能に接続される。
【００３７】
これにより、電子機器１（８０ａ）に取り付けられた受電シート１（６１ａ）を送電シート１（３０ａ）に近づけ、受電シート内の受電コイル１（６０ａ）が送電シート内の送電コイル１（４０ａ）に近づけられると、前記送電シート１（３０ａ）から送電された電力は、非接触で配置された受電コイル１（６０ａ）と受電ユニット１（７０ａ）内の受電回路部１（７１ａ）とによって受け取られ、特定の直流電圧に変換される。
そして、受電回路部１（７１ａ）からの直流電圧は、電圧安定化のためにＤＣ安定化回路部（７２ａ）に入力され、ここで出力電圧切換設定部（７３ａ）によって予め設定された電子機器１（８０ａ）の必要電圧に調節され、ＤＣコネクタ（７４ａ）を介して電子機器１（８０ａ）へ印加することで電子機器１（８０ａ）の充電が可能となる。
【００３８】
また、収容部１（１２ａ）に隣接し、ＡＣコンセントが設けられていない収容部２（１２ｂ）には、前記収容部１（１２ａ）と同様の送電シート２（３０ｂ）が設けられており、送電シート２（３０ｂ）内の送電コイル２（４０ｂ：副送電コイルに相当）には、収容部１と同一の周波数で共振するように設定された電力送電用の共振回路（メイン電力用共振回路１）（５１ｂ）と、送電状態を監視制御するためのコントロール回路１（５２ｂ）とが一体となった送電共振ユニット１（５０ｂ）が接続されている。
【００３９】
これにより、前記収容部１（１２ａ）の送電回路部１（２２）と送電コイル１（４０ａ）とから送電された特定周波数の電力は、収容部２（１２ｂ）の送電コイル２（４０ｂ）とメイン電力用共振回路１（５１ｂ）との共振作用により、収容部２（１２ｂ）へ送電可能となる。
そして、収容部２（１２ｂ）の送電シート２（３０ｂ）に、電子機器２（８０ｂ）に取り付けられた受電シート２（６１ｂ）とを接近させることで、前記収容部１（１２ａ）と同様に電子機器（８０ｂ）の充電が可能となる。
【００４０】
上記収容部２（１２ｂ）の送電共振ユニット１（５０ｂ）や送電シート２（３０ｂ）は、順次隣接する収容部に同様に設けられており、ＡＣコンセントが設けられていない収容部ｎ（１２n）には、収容部ｎ−１（１２ｎ−１）の送電共振ユニットｎ−２（５０ｎ−２）のメイン電力用共振回路ｎー２（５１ｎ−１）と送電コイルｎ−１（４０ｎ−１）とから送電された電力が、収容部ｎ（１２ｎ）の送電コイル（４０ｎ）とメイン電力用共振回路１（５１ｎ）との共振作用により収容部ｎ（１２ｎ）に供給可能となり、収容部ｎ（１２ｎ）の送電シートｎ（３０ｎ）に、電子機器ｎ（８０ｎ）に取り付けられた受電シートｎ（６１ｎ）を接近させることで、受電コイルｎ（６０ｎ）と受電ユニットｎ（７０ｎ）の受電回路部ｎ（７１ｎ）との共振作用により、同様に電子機器ｎ（８０ｎ）の充電が可能となる。
【００４１】
したがって、以上の電力の伝送状態を模式的に示すと、図１のキャビネット構成に対しては、図５に示すように電力が伝送され、図２のキャビネット構成に対しては、図６に示すように電力が伝送される。
それぞれのキャビネット構成において、隣り合う送電シート間で電力が伝送され（１００ａ、１００ｂの送電シート間電力伝送）、ＡＣコンセントが設けられている収容部からＡＣコンセントが設けられていない収容部に電力が順次送電されていき、また、それと同時に、夫々の収容部において、送電シートから受電シートへ電力が伝送され（２００ａ、２００ｂ、２００ｎの送電/受電シート間電力伝送）、夫々の収容部に収容された電子機器（８０ａ，８０ｂ，８０ｎ）を充電する。
【００４２】
なお、それぞれの送電共振ユニット１〜ｎ−１（５０ｂ〜５０ｎ）に設けられたコントロール回路１〜ｎ−１（５２ｂ〜５２ｎ）により、収容部に電子機器がない場合の送電シートへの電力供給をコントロールするほか、各収容部に置かれた電子機器への電力送電状態や電子機器の充電状態を監視して、キャビネット内の複数の電子機器に対して同時に充電を行ったり、充電対象の機器を、時間をずらして充電したり、充電が完了した電子機器（満充電の電子機器）に対して給電を停止させる等の制御を可能としている。
【００４３】
以上の構成において、各収容部での電子機器の充電、及び、収容部間の電力の伝送において、共振作用を利用した電力伝送システムを利用して、電力伝送を非接触にて行うことが出来るので、キャビネット内のＡＣコンセントの数を低減することができ、電力伝達用の電線が不要になることから、配線の少ないシンプルナな構造のキャビネットを形成することが可能となる。
【００４４】
また、電子機器には、受電コイルを内蔵した受電シートや受電ユニットを常時取り付けて使用することで、充電する度に電源ケーブルを接続する等の操作が不要となるので、ＡＣアダプタの誤接続の虞がなく、また、電源ケーブルの断線や接続のし忘れにより電子機器への充電が出来なくなる不都合もなくなり、充電における信頼性を高めることが可能となる。
【００４５】
さらに、本キャビネットによれば、ＡＣコンセントを有しない収容部に対して、送電シートや送電共振ユニットを設ければ給電が可能となるので、格別な配線作業は不要であり、電子機器の数に応じて収容部を増設したり削減することが容易に行える。また、送電シートや送電共振ユニットは、それぞれの収容部に対して着脱可能とすることができるので、既存のキャビネットに後付けすることも可能となり、また、故障時の対応も容易に行うことが可能となる。
【００４６】
なお、上述した構成においては、特に収容部（送電シート）が小さい場合や、収容部（送電シート）に対して電子機器を対向配置させる位置が決まっている場合において有効であるが、収容部（送電シート）が大きい場合や収容部（送電シート）に対して電子機器を対向配置させる位置が特に決まっていない場合には、図７で示す以下の構成例を採用するとよい。
【実施例２】
【００４７】
この例では、ＡＣコンセント(１４ａ)が設けられた収容部１（１２ａ）には、ＡＣコンセントからの交流電圧をＤＣ電圧に変換するＡＣ−ＤＣ変換回路部（２１）と、特定の周波数で電力を送電するための発振機能を有する送電回路部１（２２）とを備えた送電ユニット１（２０）と、この送電ユニット１（２０）の送電回路部１（２２）に接続する送電コイル１（４０ａ）を内蔵した送電シート１（３０ａ）とが設けられている点で実施例１と同様であるが、この例においては、送電シート１（３０ａ）に、さらに、送電回路部１（２２）及び送電コイル１（４０ａ）と同一の共振周波数となるような共振コイル（４２ａ）及び共振回路１（５５ａ）が複数内蔵され、送電シートの全体に略均等の間隔で配置されている。
【００４８】
これにより、ＡＣコンセント（１４ａ）からの交流電圧は送電ユニット１（２０）のＡＤ−ＤＣ変換部（２１）により直流電圧に変換され、送電回路部１（２２）と送電シート１（３０ａ）内の送電コイル１（４０ａ）とにより決められた特定の周波数で発振させることで電力を送電する。そして、前記送電回路部１（２２）と前記送電コイル１（４０ａ）とによって送電された電力は、送電シート１（３０ａ）内の送電コイル１（４０ａ）に隣接配置されている共振コイル（４２ａ）及び共振回路１（５５ａ）との共振作用により伝送され、さらに送電シート１（３０ａ）内の次の共振コイル（４２ａ）と共振回路１（５５ａ）へと順次伝送されることで送電シート１（３０ａ）の全体に電力を給電することが可能となる。
【００４９】
一方、充電したい電子機器（８０ａ）には、前記実施例と同様に、シート状に形成された受電コイル１（６０ａ）が内蔵されている受電シート（６１ａ）が前記送電シート１（３０ａ）と非接触の状態で電子機器の裏面部に配置もしくは貼り付けられ、また、前記送電回路部１（２２）と前記送電コイル１（４０ａ）とによって決められた特定周波数と同一の周波数で共振するように受電コイル１（６０ａ）に接続され、受電した電力を整流する受電回路部１（７１ａ）を有する受電ユニット１（７０ａ）が設けられている。
【００５０】
前記受電ユニット１（７０ａ）は、前記受電回路部１（７１ａ）のほかに、電子機器の使用電圧に出力電圧を切り換え設定する出力電圧切換設定器（７３ａ）と、受電回路部１（７１ａ）で整流された電圧を出力電圧切換設定器（７３ａ）で設定された電圧となるように安定化させるＤＣ安定化回路部（７２ａ）と、タブレットやパソコン等の電子機器（８０ａ）の充電端子に接続するＤＣコネクタ（７４ａ）とを備え、このＤＣコネクタ（７４ａ）を介して電子機器１（８０ａ）の充電端子に着脱可能に接続される。
【００５１】
これにより、電子機器１（８０ａ）に取り付けられた受電シート１（６１ａ）を送電シート１（３０ａ）に近づけると、前記送電シート１（３０ａ）から送電された電力は、非接触で配置された受電コイル１（６０ａ）と受電ユニット１（７０ａ）内の受電回路部１（７１ａ）とによって受け取られ、直流電圧に変換される。
そして、受電回路部１（７１ａ）からの直流電圧は、電圧安定化のためにＤＣ安定化回路部（７２ａ）に入力され、ここで出力電圧切換設定部（７３ａ）によって予め設定された電子機器１（８０ａ）の必要電圧に調節され、ＤＣコネクタ（７４ａ）を介して電子機器１（８０ａ）へ印加することで電子機器１（８０ａ）の充電が可能となる。
【００５２】
また、収容部１（１２ａ）に隣接し、ＡＣコンセントが設けられていない収容部２（１２ｂ）には、前記収容部１（１２ａ）と同様の送電シート２（３０ｂ）が設けられており、送電シート２（３０ｂ）内の送電コイル２（４０ｂ）には、収容部１と同一の周波数で共振するように設定された電力送電用の共振回路（メイン電力用共振回路１）（５１ｂ）と、送電状態を監視制御するためのコントロール回路１（５２ｂ）とが一体となった送電共振ユニット１（５０ｂ）が接続されている。
【００５３】
これにより、前記収容部１（１２ａ）の送電回路部１（２２）と送電コイル１（４０ａ）とから送電された電力は、収容部２（１２ｂ）の送電コイル２（４０ｂ）とメイン電力用共振回路１（５１ｂ）の共振作用により、ＡＣコンセントが設けられていない収容部２（１２ｂ）へ伝送され、また、収容部２（１２ｂ）の送電シート２（３０ｂ）内に設けられた共振コイル（４２ｂ）と共振回路２（５５ｂ）の共振作用により送電シート２（３０ｂ）の全体へ電力を給電することが可能となる。
【００５４】
また、収容部２（１２ｂ）には、前記収容部１（１２ａ）と同様に、受電コイル２（６０ｂ）を内蔵した受電シート２（６１ｂ）と受電ユニット２（７０ｂ）とが接続された電子機器２（８０ｂ）が収容されており、電子機器２（８０ｂ）の充電を可能としている。
【００５５】
上記収容部２（１２ｂ）の送電共振ユニット１（５０ｂ）や送電シート２（３０ｂ）は、順次隣接する収容部に同様に設けられており、ＡＣコンセントが設けられていない収容部ｎ（１２ｎ）には、収容部ｎ−１（１２ｎ−１）のメイン電力用共振回路ｎ−２（５１ｎ−１）と送電コイルｎ−１（４０ｎ−１）とによって送電された電力が、収容部ｎ（１２ｎ）の送電コイルｎ（４０ｎ）とメイン電力用共振回路ｎ−１（５１ｎ）の共振作用により、収容部ｎ（１２ｎ）へ伝送され、また、収容部ｎ（１２ｎ）の送電シートｎ（３０ｎ）内に設けられた共振コイル（４２ｎ）と共振回路ｎ（５５ｎ）との共振作用により送電シートｎ（３０ｎ）の全体へ電力を給電することが可能となり、収容部ｎ（１２ｎ）に置かれた電子機器ｎ（８０ｎ）に取り付けられた受電シートｎ（６１ｎ）内の受電コイルｎ（６０ｎ）と受電ユニットｎ（７０ｎ）内の受電回路部ｎ（７１ｎ）との共振作用により、同様に電子機器ｎ（８０ｎ）の充電が可能となる。
【００５６】
なお、それぞれの送電共振ユニット１〜ｎ−１（５０ｂ〜５０ｎ）に設けられたコントロール回路１〜ｎ−１（５２ｂ〜５０ｎ）により、収容部に電子機器がない場合の送電シートへの電力供給をコントロールするほか、各収容部に置かれた電子機器への電力送電状態や電子機器の充電状態を監視して、キャビネット内の複数の電子機器に対して同時に充電を行ったり、充電対象の機器を、時間をずらして充電したり、充電が完了した電子機器（満充電の電子機器）に対して給電を停止させる等の制御を可能としている。
【００５７】
このような構成においては、実施例１と同様の作用効果が得られる他、共振コイル（４２ａ〜４２ｎ）と共振回路（５５ａ〜５５ｎ）が送電シート１〜ｎ（３０ａ〜３０ｎ）内に複数分散配置されているので、電子機器１〜ｎ（８０ａ〜８０ｎ）に取り付けられた受電シート１〜ｎ（６１ａ〜６１ｎ）を送電シート１〜ｎ（３０ａ〜３０ｎ）の定位置に対向配置させる必要がなく、収容部１〜ｎ（１２ａ〜１２ｎ）に収容される電子機器１〜ｎ（８０ａ〜８０ｎ）の位置に関係なく、電子機器１〜ｎ（８０ａ〜８０ｎ）を充電することが可能となる。このため、電子機器の大きさやキャビネットの収容部の大きさにばらつきがあっても、電子機器を確実に充電することが可能となる。
【他の実施例】
【００５８】
以上の構成においては、配列された複数の収容部の１つにＡＣコンセントを設け、順次隣接する収容部へ電力を伝送する例について述べたが、各収容部で必要とする電力に応じて１つのＡＣコンセントで電力供給が可能な収容部の数を予め決めておき、ＡＣコンセント（１４ａ）を設ける収容部を複数個おきに設けるようにしてもよい。
また、上述の構成においては、キャビネットの端部に配置された収容部（収容部１）にＡＣコンセント（１４ａ）を設け、一方向に順次給電する例を示したが、キャビネット（１０）の中程の収容部にＡＣコンセントを設け、その収容部から両側へ順次給電するようにしてもよい。
【００５９】
さらに、上述の構成においては、送電シート（３０ａ〜３０ｎ）を棚板（１３ａ〜１３ｎ）又は仕切板（１３’ａ〜１３’ｎ）と別体とし、棚板（１３ａ〜１３ｎ）又は仕切板（１３’ａ〜１３’ｎ）に沿わせるように配置した例を示したが、棚板（１３ａ〜１３ｎ）又は仕切板（１３’ａ〜１３’ｎ）の内部に送電シート（３０ａ〜３０ｎ）を一体に組み込むようにしてもよい。
【００６０】
なお、上述した夫々の各実施例では、キャビネットで充電する対象機器としてタブレットやパソコン等の電子機器を例にしたが、これに限定されるものではなく、充電可能な電気機器を充電する場合においても同様のキャビネット構成を採用してもよい。
【符号の説明】
【００６１】
１０…キャビネット
１１…キャビネット扉
１２ａ、１２ｂ、１２n…収容部
１３ａ、１３ｂ、１３n…棚板
１３’ａ、１３’ｂ、１３’n…仕切板
１４ａ…ＡＣコンセント
２０…送電ユニット
２１…ＡＣ−ＤＣ変換部
２２…送電回路部１
３０ａ、３０ｂ、３０n…送電シート
４０ａ、４０ｂ、４０n…送電コイル
４２ａ、４２ｂ、４２n…共振コイル
５０ｂ、５０n…送電共振ユニット
５１ｂ、５１n…メイン電力用共振回路
５２ｂ、５２n…コントロール回路
６０ａ、６０ｂ、６０n…受電コイル
７０ａ、７０ｂ、７０n…受電ユニット
７１ａ、７１ｂ、７１n…受電回路部
７２ａ、７２ｂ、７２n…ＤＣ安定化回路部
７３ａ、７３ｂ、７３n…出力電圧切換設定器
７４ａ、７４ｂ、７４n…ＤＣコネクタ
８０ａ、８０ｂ、８０n…電子機器（タブレット、パソコン）
１００ａ、１００ｂ…送電シート間電力伝送
２００ａ、２００ｂ、２００n…送電/受電シート間電力伝送
【図１】
2018201273.tif 000003
【図２】
2018201273.tif 000004
【図３】
2018201273.tif 000005
【図４】
2018201273.tif 000006
【図５】
2018201273.tif 000007
【図６】
2018201273.tif 000008
【図７】
2018201273.tif 000009